(57)【要約】【課題】作業性を損なうことなく、しかも取り扱い部品点数を増大させることなく長尺部材の長手方向に沿った不用意な移動をより確実に阻止すること。【解決手段】小口カバー４０のプレート状部４０ａは、上枠１１における外表領域の幅を一辺とした四等辺の四角形状に構成したものであり、挿入係合部４０ｂは、プレート状部４０ａの隣接した二つの辺ｓ１，ｓ２からの距離Ａがそれぞれ上枠１１において外表領域の一側縁から溝状部１１ｃまでの距離Ｂに合致するように配置してあり、弾性舌片部４０ｄは、プレート状部４０ａの隣接した二つの辺の一方ｓ１に対して交差する方向に延在した第１舌片部４０ｄ１と、プレート状部４０ａの隣接した二つの辺の他方ｓ２に対して交差する方向に延在した第２舌片部４０ｄ２とを備える。【選択図】図４
2013234496.tif 000002
【特許請求の範囲】
【請求項１】
長手方向に沿って開口する溝状部を有した長尺部材に対して前記溝状部にカバー部材が取り付けられた場合に前記カバー部材の小口を覆うとともに長尺部材に取り付けられる小口カバーであって、
板状を成すプレート状部と、
前記プレート状部の裏面から突設した挿入係合部と、
前記挿入係合部の突出端面から傾斜した状態で突設した弾性舌片部と
を有して構成され、前記弾性舌片部が傾斜方向側に傾倒するように前記挿入係合部を前記長尺部材の溝状部に挿入して係合させることにより、前記プレート状部によって前記カバー部材の小口及び長尺部材の外表領域を覆い、かつ前記弾性舌片部の突出端部が傾斜方向側へ傾倒して溝状部の内底面に圧接されることで前記溝状部に沿った一方方向への移動を規制するものであり、
前記プレート状部は、長尺部材における外表領域の幅とほぼ等しい幅を一辺とした四等辺の四角形状に構成したものであり、
前記挿入係合部は、前記プレート状部の隣接した二つの辺からの距離がそれぞれ長尺部材において外表領域の一側縁から溝状部までの距離に合致するように配置してあり、
前記弾性舌片部は、前記プレート状部の隣接した二つの辺の一方に対して交差する方向に延在した第１舌片部と、前記プレート状部の隣接した二つの辺の他方に対して交差する方向に延在した第２舌片部とを備えることを特徴とする小口カバー。
【請求項２】
互いに直交する方向に沿って延在するように前記第１舌片部及び前記第２舌片部を設けたことを特徴とする請求項１に記載の小口カバー。
【請求項３】
前記第１舌片部及び前記第２舌片部は、前記挿入係合部の突出端面にそれぞれ複数列ずつ配設したことを特徴とする請求項１に記載の小口カバー。
【請求項４】
前記第１舌片部の延在方向に沿った全長と、前記第２舌片部の延在方向に沿った全長とを互いに一致させたことを特徴とする請求項１または請求項３に記載の小口カバー。
【発明の詳細な説明】
【技術分野】
【０００１】
本発明は、長尺部材の溝状部に取り付けられるカバー部材の小口及び長尺部材の外表領域を覆う小口カバーに関するものである。
【背景技術】
【０００２】
開口枠に対して障子がスライド可能に配設された引違い窓等の建具では、上枠（長尺部材）において室内側に位置する見込み面にカバー部材を設けるようにしたものがある。カバー部材は、上枠の見込み面に長手方向に沿って設けられた溝状部に配置されるもので、カバー部及び係合片部を有している。カバー部は、上枠の見込み面を覆う部分であり、平板状に構成されている。係合片部は、カバー部の裏面に設けた一対のヒレ状部分であり、上枠の溝状部に装着して係合することのできる寸法に形成されている。
【０００３】
カバー部材は、係合片部を介して上枠の溝状部に装着すれば、カバー部によって上枠の見込み面を覆うことができる。従って、適用する建具の意匠性を向上させることができるようになる。また、上枠に結露水が付着した場合にも、これが滴下する事態を防止することが可能である（例えば、特許文献１参照）。
【０００４】
カバー部材は、上枠の長手方向に沿った全長に配置できることが好ましい。しかしながら、上枠の見込み面に部品が装着されている等、カバー部材を全長に渡って配置することが困難な場合もある。上枠の全長に渡ってカバー部材を配置することができない場合には、上枠の見込み面にカバー部材の小口が現れることとなり、意匠性を考慮すると必ずしも好ましいとはいえない。
【０００５】
カバー部材の小口を覆うには、上枠の溝状部に小口カバーを装着する方法がある。小口カバーとしては、カバー部材と同様、平板状を成すプレート状部と、プレート状部の裏面から突設した挿入係合部とを有したものを適用し、上枠の溝状部に挿入係合部を挿入するとともに、プレート状部によってカバー部材の小口及び上枠の見込み面を覆えば良い。但し、小口カバーを単に上枠の溝状部に挿入したのでは、長手方向に沿った移動を規制することができないため、小口カバーやカバー部材が上枠に対して移動することになり、所望の効果を期待することが難しい。
【０００６】
長尺部材に挿入した部材の移動を規制する技術としては、部材に弾性舌片部を設け、長尺部材に挿入した場合に弾性舌片部を長尺部材に圧接させるようにしたものが提供されている（例えば、特許文献２参照）。すなわち、上述の小口カバーにおいては、カバー部材において上枠の溝状部に挿入される挿入係合部に弾性舌片部を設け、挿入係合部を溝状部に挿入した場合に弾性舌片部を溝状部の内底面に圧接させれば、上枠の長手方向に不用意に移動する事態を防止することができる。
【先行技術文献】
【特許文献】
【０００７】
【特許文献１】特開２００９−１４４３８４号公報
【特許文献２】特開平９−２１０２８７号公報
【発明の概要】
【発明が解決しようとする課題】
【０００８】
ところで、開口枠に対して障子が開閉される建具では、障子を開口枠に建て込む際にその上框が小口カバーに接触する事態が起こり得る。従って、小口カバーを建具に適用する場合には、弾性舌片部をより大きな力で溝状部の内底面に圧接させる等して、上框が接触した場合にも小口カバーが上枠に沿って移動する事態を防止する必要がある。弾性舌片部をより大きな力で溝状部の内底面に圧接させるには、板厚を増大させる等、弾性舌片部の剛性を向上させて容易に撓まないように構成すれば良い。但し、弾性舌片部の剛性を向上させた場合には、上枠の溝状部に対して小口カバーを所望の位置まで移動させる際の操作力も増大することになり、作業性の点で好ましいとはいえない。
【０００９】
小口カバーを装着する際の作業性を損なうことなく、弾性舌片部の圧接力を増大させるには、予め傾斜させて設けることも考えられる。すなわち、予め弾性舌片部を傾斜した状態で設けておけば、小口カバーを移動させる場合の操作力を大きく増大させることなく、逆方向への移動はより確実に阻止することができるようになる。しかしながら、弾性舌片部を予め傾斜した状態で設けた場合には、上枠の溝状部に対して移動を規制できる方向が限定されることになり、右側への移動を規制するものと左側への移動を規制するものとを別部品として構成する必要がある。特に、建具にあっては、勝手違いのものが存在することが多く、取り扱い部品点数が増えることに起因して製造コストが増大する事態を招来する恐れがある。
【００１０】
本発明は、上記実情に鑑みて、作業性を損なうことなく、しかも取り扱い部品点数を増大させることなく長尺部材の長手方向に沿った不用意な移動をより確実に阻止することのできる小口カバーを提供することを目的とする。
【課題を解決するための手段】
【００１１】
上記目的を達成するため、本発明に係る小口カバーは、長手方向に沿って開口する溝状部を有した長尺部材に対して前記溝状部にカバー部材が取り付けられた場合に前記カバー部材の小口を覆うとともに長尺部材に取り付けられる小口カバーであって、板状を成すプレート状部と、前記プレート状部の裏面から突設した挿入係合部と、前記挿入係合部の突出端面から傾斜した状態で突設した弾性舌片部とを有して構成され、前記弾性舌片部が傾斜方向側に傾倒するように前記挿入係合部を前記長尺部材の溝状部に挿入して係合させることにより、前記プレート状部によって前記カバー部材の小口及び長尺部材の外表領域を覆い、かつ前記弾性舌片部の突出端部が傾斜方向側へ傾倒して溝状部の内底面に圧接されることで前記溝状部に沿った一方方向への移動を規制するものであり、前記プレート状部は、長尺部材における外表領域の幅とほぼ等しい幅を一辺とした四等辺の四角形状に構成したものであり、前記挿入係合部は、前記プレート状部の隣接した二つの辺からの距離がそれぞれ長尺部材において外表領域の一側縁から溝状部までの距離に合致するように配置してあり、前記弾性舌片部は、前記プレート状部の隣接した二つの辺の一方に対して交差する方向に延在した第１舌片部と、前記プレート状部の隣接した二つの辺の他方に対して交差する方向に延在した第２舌片部とを備えることを特徴とする。
【００１２】
この発明によれば、プレート状部の隣接した二つの辺からの距離がそれぞれ長尺部材において外表領域の一側縁から溝状部までの距離に合致するように挿入係合部が配置してある。従って、長尺部材の溝状部に対して一方の辺に沿って移動させる場合及び他方の辺に沿って移動させる場合のいずれにおいても長尺部材の外表領域を覆うことが可能となる。しかも、プレート状部の隣接した二つの辺に対して一方に交差する第１舌片部と他方に交差する第２舌片部とによって弾性舌片部を構成しているため、挿入方向に応じた舌片部を溝状部の内底面に作用させることが可能となる。
【００１３】
また、本発明は、上述した小口カバーにおいて、互いに直交する方向に沿って延在するように前記第１舌片部及び前記第２舌片部を設けたことを特徴とする。
【００１４】
この発明によれば、一方の舌片部を作用させるべく長尺部材の溝状部に挿入する場合には、他方の舌片部が挿入方向に沿って延在することになり、挿入する際の操作力を増大させることがない。
【００１５】
また、本発明は、上述した小口カバーにおいて、前記第１舌片部及び前記第２舌片部は、前記挿入係合部の突出端面にそれぞれ複数列ずつ配設したことを特徴とする。
【００１６】
この発明によれば、舌片部個々の板厚を増大させることなく、接触面積を増大させることで抜け方向への移動をより確実に規制することができる。
【００１７】
また、本発明は、上述した小口カバーにおいて、前記第１舌片部の延在方向に沿った全長と、前記第２舌片部の延在方向に沿った全長とを互いに一致させたことを特徴とする。
【００１８】
この発明によれば、第１舌片部を作用させる場合と第２舌片部を作用させる場合とで抜け方向への移動を規制する力を等しく設定することができる。
【発明の効果】
【００１９】
本発明によれば、プレート状部の隣接した二つの辺からの距離がそれぞれ長尺部材において外表領域の一側縁から溝状部までの距離に合致するように挿入係合部が配置してある。従って、長尺部材の溝状部に対して一方の辺に沿って移動させる場合、並びに他方の辺に沿って移動させる場合のいずれにおいても、長尺部材の外表領域及びカバー部材の小口を覆うことが可能となる。しかも、プレート状部の隣接した二つの辺に対して一方に交差する第１舌片部と他方に交差する第２舌片部とによって弾性舌片部を構成しているため、挿入方向に応じた舌片部を溝状部の内底面に作用させることが可能となる。従って、所望の位置まで移動する場合の操作力を増大させることなく逆方向への移動を確実に阻止すべく弾性舌片部を傾斜させた場合にも、長尺部材の一方への移動を規制するものと他方への移動を規制入するものとで部品を共用することができ、製造コストの低減を図ることが可能となる。
【図面の簡単な説明】
【００２０】
【図１】図１は、本発明の実施の形態である小口カバーを適用した建具を示したもので、（ａ）は右勝手の建具の縦断面図、（ｂ）は左勝手の建具の縦断面図である。
【図２】図２は、図１に示した建具を概念的に示したもので、（ａ）は右勝手の建具を室内側から見上げた斜視図、（ｂ）は左勝手の建具を室内側から見上げた斜視図である。
【図３】図３は、図１に示した建具に適用する小口カバーを示したもので、（ａ）は底面図、（ｂ）は底面側から見た斜視図である。
【図４】図４は、図１に示した建具において長尺部材となる上枠と、小口カバー及びカバー部材とを示したもので、（ａ）は右勝手の建具の要部分解斜視図、（ｂ）は左勝手の建具の要部分解斜視図である。
【図５】図５は、図１に示した建具において長尺部材となる上枠と、小口カバー及びカバー部材とを示したもので、（ａ）は右勝手の建具の要部を室外側から見た図、（ｂ）は左勝手の建具の要部を室外側から見た図である。
【図６】図６は、図１に示した建具において長尺部材となる上枠と、小口カバー及びカバー部材とを示したもので、（ａ）は右勝手の建具の要部を下方から見た図、（ｂ）は左勝手の建具の要部を下方から見た図である。
【発明を実施するための形態】
【００２１】
以下、添付図面を参照しながら本発明に係る小口カバーの好適な実施の形態について詳細に説明する。
【００２２】
図１は、本発明の実施の形態である小口カバーを適用した建具を示したものである。ここで例示する建具は、開口枠１０と左右２枚の障子２０とを備え、開口枠１０に対して２枚の障子２０を左右方向にスライドさせることによって開閉するようにした、いわゆる引違い窓と称されるものである。開口枠１０は、上枠（長尺部材）１１、下枠１２及び左右一対の縦枠１３を四周枠組みすることによって矩形状に構成してある。２枚の障子２０は、それぞれ上框２１、下框２２及び一対の縦框２３を四周框組みし、かつこれら上框２１、下框２２及び一対の縦框２３の間に面材としてガラス板２４を配設することによって構成したものである。図２の（ａ）及び（ｂ）に示すように、この開口枠１０は、室内側から見て右側に位置する障子２０を室内側に配置した右勝手の建具と、室内側から見て左側に位置する障子２０を室内側に配置した左勝手の建具とで共用するものである。尚、開口枠１０を構成する各枠１１，１２，１３及び障子２０の框を構成する各框２１，２２，２３は、アルミニウムやアルミニウム合金によって成形した押し出し型材であり、それぞれが全長に渡ってほぼ一様な断面形状を有するように構成してある。
【００２３】
図１及び図４に示すように、開口枠１０の上枠１１には、室内側の障子２０をスライドさせる際のガイドとなる室外側ガイドヒレ１１ａと、室外側の障子２０をスライドさせる際のガイドとなる室内側ガイドヒレ１１ｂとの間に溝状部１１ｃが設けてある。室外側ガイドヒレ１１ａ及び室内側ガイドヒレ１１ｂは、それぞれ上枠１１から下方に向けて突出した薄板状部分であり、互いに平行となる状態で上枠１１の長手方向に沿って延在している。
【００２４】
溝状部１１ｃは、上枠１１の長手方向に沿って延在し、かつ下方に向けて開口する凹部であり、室外側ガイドヒレ１１ａに近接する一方、室内側ガイドヒレ１１ｂから離隔した位置にオフセットして設けてある。室外側ガイドヒレ１１ａと溝状部１１ｃとの間及び室内側ガイドヒレ１１ｂと溝状部１１ｃとの間には、それぞれ下方に向けて水平に延在する天面部１１ｄ，１１ｅが確保してある。上述したように、室外側ガイドヒレ１１ａと室内側ガイドヒレ１１ｂとの間に溝状部１１ｃをオフセットして設けてあるため、室外側ガイドヒレ１１ａと溝状部１１ｃとの間の天面部１１ｄは、室内側ガイドヒレ１１ｂと溝状部１１ｃとの間の天面部１１ｅよりも幅が小さく構成されている。
【００２５】
この溝状部１１ｃは、横断面が矩形状を成しており、互いに対向する内側面にそれぞれ係合突起１１ｆを有している。係合突起１１ｆは、溝状部１１ｃの内側面において互いに対向する位置から互いに対向する方向に向けて突設したもので、溝状部１１ｃの全長に渡って設けてある。
【００２６】
開口枠１０の上枠１１には、室外側ガイドヒレ１１ａと室内側ガイドヒレ１１ｂとの間に、合成樹脂材によって成形したカバー部材３０が配置してある。このカバー部材３０は、図２の（ａ）及び（ｂ）中のクロスハッチ部分Ｘで示すように、右勝手の建具の場合に左側に位置する部分に配置され、左勝手の建具の場合に右側に位置する部分に配置され、それぞれ障子２０を閉めた場合に室内側に位置する上枠１１の見込み面（外表領域）を覆うものである。本実施の形態では、右勝手の建具と左勝手の建具とで共用できるように、カバー部材３０が構成してある。具体的には、図４に示すように、カバー部３０ａ及び一対の係合片部３０ｂを有したカバー部材３０を適用している。
【００２７】
カバー部３０ａは、室外側ガイドヒレ１１ａと室内側ガイドヒレ１１ｂとの相互間隔よりもわずかに小さい幅を有した矩形の平板状を成すものである。一対の係合片部３０ｂは、カバー部３０ａの裏面において全長に渡る部位から互いに平行となるように突設したヒレ状部分であり、外側面間距離が上枠１１の溝状部１１ｃにおいて一対の係合突起１１ｆの相互間隔に合致し、これら係合突起１１ｆの間に挿入できるように設けてある。
【００２８】
カバー部３０ａに対して一対の係合片部３０ｂを設ける位置は、カバー部３０ａを室外側ガイドヒレ１１ａと室内側ガイドヒレ１１ｂとの間に配置した場合に、上枠１１の溝状部１１ｃに挿入することのできるようにオフセットしてある。それぞれの係合片部３０ｂには、突出端部に係合爪３０ｃが設けてある。係合爪３０ｃは、係合片部３０ｂの外側面から互いに離隔する方向に突出した部分であり、係合片部３０ｂを上枠１１の溝状部１１ｃに挿入した場合に係合突起１１ｆに係合し、カバー部材３０を上枠１１に支持させることが可能である。
【００２９】
上記のように構成したカバー部材３０は、図４の（ａ）及び（ｂ）に示すように、例えば、開口枠１０を構成する以前の上枠１１に対してその端面から溝状部１１ｃに一対の係合片部３０ｂを挿入するとともに、係合爪３０ｃを溝状部１１ｃの係合突起１１ｆに係合させることにより、上枠１１の見込み面において室外側ガイドヒレ１１ａと室内側ガイドヒレ１１ｂとの間に保持された状態に維持される。上枠１１に保持されたカバー部材３０は、図４〜図６に示すように、溝状部１１ｃの長手方向に沿って移動可能であり、配置された部分において室外側ガイドヒレ１１ａと室内側ガイドヒレ１１ｂとの間に設けられた溝状部１１ｃ及び２つの天面部１１ｄ，１１ｅをカバー部３０ａによって覆うように機能する。カバー部材３０は、その全長に渡って一様な断面形状を有しており、上枠１１の溝状部１１ｃに対して右側に位置する端面から挿入することも可能、かつ左側に位置する端面から挿入することも可能である。つまり、図４の（ａ）に示すように、右勝手の建具の場合には、室外側から見て上枠１１の左側に位置する端面から溝状部１１ｃにカバー部材３０を挿入することができ、図４の（ｂ）に示すように、左勝手の建具の場合には、上枠１１の右側に位置する端面から溝状部１１ｃにカバー部材３０を挿入することができる。上述のカバー部材３０は、必ずしも上枠１１の端面から溝状部１１ｃに挿入させて係合させる必要はなく、上枠１１の見込み面から係合片部３０ｂを挿入してカバー部材３０の係合爪３０ｃを溝状部１１ｃの係合突起１１ｆにスナップ式に係合させても良い。
【００３０】
一方、開口枠１０の上枠１１には、室外側ガイドヒレ１１ａと室内側ガイドヒレ１１ｂとの間においてカバー部材３０の端部となる位置に小口カバー４０が配設してある。小口カバー４０は、上枠１１の見込み面においてカバー部材３０が配置されていない部分の外表領域を覆うとともに、溝状部１１ｃに配置したカバー部材３０の小口を覆うためのもので、弾性を有した合成樹脂材によって一体に成形したプレート状部４０ａ及び挿入係合部４０ｂを有している。
【００３１】
プレート状部４０ａは、図３に示すように、ほぼ正方形の平板状を成すものである。このプレート状部４０ａは、一辺の長さが上枠１１において室外側ガイドヒレ１１ａと室内側ガイドヒレ１１ｂとの相互間隔よりもわずかに小さい寸法に形成してあり、四辺のいずれを室外側ガイドヒレ１１ａに近接させた姿勢であっても室外側ガイドヒレ１１ａと室内側ガイドヒレ１１ｂとの間に配置して上枠１１の見込み面を覆うことが可能である。挿入係合部４０ｂは、外形が正四角柱状を成し、突出端部に外周フランジ４０ｃを有したもので、各辺がプレート状部４０ａの各辺と平行となる姿勢でプレート状部４０ａの裏面から突設してある。この挿入係合部４０ｂは、一辺の長さが溝状部１１ｃにおいて一対の係合突起１１ｆの相互間隔よりもわずかに小さい寸法に形成してあり、これら係合突起１１ｆの間に挿入することが可能である。外周フランジ４０ｃは、一辺が溝状部１１ｃの幅よりもわずかに小さく、かつ一対の係合突起１１ｆの相互間隔よりも大きな寸法の正方形状を成すもので、挿入係合部４０ｂの四辺から外方に向けて均等に突出している。
【００３２】
プレート状部４０ａに対して挿入係合部４０ｂを設ける位置は、図３の（ａ）で示すように、プレート状部４０ａの隣接した二つの辺、具体的には図３の（ａ）において左方に位置する辺（以下、「第１基準辺ｓ１」という）及び図３の（ａ）において下方に位置する辺（以下、「第２基準辺ｓ２」という）のそれぞれから、正四角柱の中心Ｃまでの距離Ａが互いに等しく、かつこの距離Ａが、図４に示すように、それぞれ上枠１１において室外側ガイドヒレ１１ａから溝状部１１ｃの中心までの距離Ｂに合致する位置である。本実施の形態では、溝状部１１ｃがオフセットして形成されているため、図３の（ａ）に示すように、プレート状部４０ａに対して挿入係合部４０ｂが第１基準辺ｓ１及び第２基準辺ｓ２の交差隅部にオフセットして配置されることになる。
【００３３】
挿入係合部４０ｂのプレート状部４０ａからの突出寸法は、プレート状部４０ａを上枠１１の天面部１１ｄ，１１ｅに当接させた状態で挿入係合部４０ｂを上枠１１の溝状部１１ｃに配置した場合に、突出端面が溝状部１１ｃの内底面１１ｇから離隔し、かつ外周フランジ４０ｃが溝状部１１ｃの係合突起１１ｆを超えた位置に配置されて係合突起１１ｆに係合される長さである。
【００３４】
この小口カバー４０には、図３に示すように、挿入係合部４０ｂの突出端面に弾性舌片部４０ｄが設けてある。弾性舌片部４０ｄは、小口カバー４０の挿入係合部４０ｂを上枠１１の溝状部１１ｃに挿入した場合に内底面１１ｇに圧接し、溝状部１１ｃに対する抜け方向への移動を規制するものである。本実施の形態では、互いに延在方向が異なる第１舌片部４０ｄ１及び第２舌片部４０ｄ２を備えて弾性舌片部４０ｄを構成している。
【００３５】
第１舌片部４０ｄ１は、プレート状部４０ａの第１基準辺ｓ１に対して直交する方向に沿って延在するもので、挿入係合部４０ｂの突出端面において図３の（ａ）の左半部分に５列設けてある。第１舌片部４０ｄ１のそれぞれは、図３の（ｂ）に示すように、挿入係合部４０ｂの突出端面から離隔するに従って漸次第２基準辺ｓ２に近接する方向に傾斜して設けてある。
【００３６】
第２舌片部４０ｄ２は、プレート状部４０ａの第２基準辺ｓ２に対して直交する方向に沿って延在するもので、換言すれば、第１舌片部４０ｄ１に対して直交する方向に沿って延在するもので、挿入係合部４０ｂの突出端面において図３の（ａ）の右半部分に３列設けてある。第２舌片部４０ｄ２のそれぞれは、図３の（ｂ）に示すように、挿入係合部４０ｂの突出端面から離隔するに従って漸次第１基準辺ｓ１に近接する方向に傾斜して設けてある。図からも明らかなように、３列設けた第２舌片部４０ｄ２は、５列設けた第１舌片部４０ｄ１よりも延在長さが大きく確保してあり、延在方向の総全長が第１舌片部４０ｄ１の総全長と一致するように設定してある。
【００３７】
これら第１舌片部４０ｄ１及び第２舌片部４０ｄ２は、無負荷状態においては挿入係合部４０ｂの突出端面からの突出高さが互いに同一で、外周フランジ４０ｃを溝状部１１ｃの係合突起１１ｆに係合させた際に溝状部１１ｃの内底面１１ｇに圧接することのできる寸法に形成してある。
【００３８】
上記のように構成した小口カバー４０によれば、図４に示すように、室外側から見て、右勝手の建具の上枠１１に対して左側に位置する端面からカバー部材３０とともに挿入する場合と、左勝手の建具の上枠１１に対して右側に位置する端面からカバー部材３０とともに挿入する場合とで共用することができる。すなわち、プレート状部４０ａに対して第１基準辺ｓ１からの距離Ａと第２基準辺ｓ２からの距離Ａとが等しくなる位置に挿入係合部４０ｂの中心Ｃを配置するようにしているため、図６に示すように、プレート状部４０ａの向きを９０°回転させることで、小口カバー４０が対称な形状となる。従って、オフセットした位置に溝状部１１ｃが設けられた室外側ガイドヒレ１１ａと室内側ガイドヒレ１１ｂとの間に対しては、小口カバー４０を左側から挿入して外表領域及びカバー部材３０の小口を覆うことも可能であり、右側から挿入して外表領域及びカバー部材３０の小口を覆うことも可能となる。
【００３９】
しかも、上枠１１に対して小口カバー４０を左側から挿入する場合には、第１基準辺ｓ１が基端側となる姿勢とすることで、第２舌片部４０ｄ２が挿入方向に対して直交する方向に延在し、かつ第２舌片部４０ｄ２の突出端部が溝状部１１ｃの開口端に向けて傾斜した状態で内底面１１ｇに圧接されることになる。従って、これら第２舌片部４０ｄ２によって小口カバー４０の抜け方向への移動が規制されることになる。この場合、第１舌片部４０ｄ１は、小口カバー４０の挿入方向に沿って配置されるため、その操作力に影響を与えることはない。
【００４０】
同様に、上枠１１に対して小口カバー４０を右側から挿入した場合には、第２基準辺ｓ２が基端側となる姿勢とすることで、第１舌片部４０ｄ１が挿入方向に直交する方向に延在し、かつ第１舌片部４０ｄ１の突出端部が溝状部１１ｃの開口端に向けて傾斜した状態で内底面１１ｇに圧接されることになる。従って、これら第１舌片部４０ｄ１によって小口カバー４０の抜け方向への移動が規制されることになる。この場合、第２舌片部４０ｄ２は、小口カバー４０の挿入方向に沿って配置されるため、その操作力に影響を与えることはない。
【００４１】
つまり、上枠１１に対して、左右いずれの方向から小口カバー４０を溝状部１１ｃに挿入しても、挿入方向に応じた舌片部４０ｄ１，４０ｄ２が作用して抜け方向への移動が規制されることになる。上述したように、第１舌片部４０ｄ１及び第２舌片部４０ｄ２は、予め傾斜した状態で設けたものである。このため、小口カバー４０を溝状部１１ｃに挿入する際には傾斜方向に傾倒することになり、操作力を増大させることなく、より大きな力で溝状部１１ｃの内底面１１ｇに圧接させることができる。これにより、例えば、開口枠１０に対して障子２０を建て込む際にその上框２１が小口カバー４０に接触したとしても、小口カバー４０やカバー部材３０が上枠１１の延在方向に沿って不用意に移動する事態を招来する恐れがない。
【００４２】
尚、上述した実施の形態では、上枠１１の左右端面からカバー部材３０とともに小口カバー４０を溝状部１１ｃに挿入させるようにしているが、本発明はこれに限らない。例えば、障子２０のそれぞれの縦框２３同士が重なり合う召し合わせ部付近において、上枠１１の溝状部１１ｃに設けた係合突起１１ｆを小口カバー４０の外周フランジ４０ｃよりもわずかに大きい幅だけ切除し、その切除した部分を介して上枠１１の見込み面から溝状部１１ｃに小口カバー４０を挿入し、その後、長手方向に移動させることで係合させるようにしても良い。
【００４３】
また、上述した実施の形態では、小口カバー４０の抜け方向への移動を規制する第１舌片部４０ｄ１及び第２舌片部４０ｄ２の総全長を互いに一致させているため、抜け方向への移動を規制する力も同一となり、勝手違いで共用する場合の仕様を一致させることができる。しかしながら、本発明は必ずしもこれに限定されない。また、第１舌片部４０ｄ１及び第２舌片部４０ｄ２を互いに直交する方向に沿って延在させるようにしているが、必ずしも直交させる必要はなく、一方の辺に沿って小口カバーを挿入した場合に一方の舌片部が作用し、他方の辺に沿って小口カバーを挿入した場合に他方の舌片部が作用するように第１舌片部及び第２舌片部を設ければ良い。
【００４４】
さらに、上述した実施の形態では、開口枠１０の見付け面にカバー部材３０を配設する建具を適用対象とした小口カバーを例示したが、長手方向に沿って溝状部が開口するとともに、溝状部にカバー部材が配置される長尺部材であれば、その他のものにも適用することは可能である。この場合、溝状部は必ずしもオフセットして設けられたものである必要はなく、外表領域の幅方向中央部に設けられたものにも適用可能である。
【符号の説明】
【００４５】
１１      上枠
１１ｃ      溝状部
１１ｇ      内底面
３０      カバー部材
４０      小口カバー
４０ａ      プレート状部
４０ｂ      挿入係合部
４０ｃ      外周フランジ
４０ｄ      弾性舌片部
４０ｄ１      第１舌片部
４０ｄ２      第２舌片部
ｓ１      第１基準辺
ｓ２      第２基準辺
【図１】
2013234496.tif 000003
【図２】
2013234496.tif 000004
【図３】
2013234496.tif 000005
【図４】
2013234496.tif 000006
【図５】
2013234496.tif 000007
【図６】
2013234496.tif 000008